(57)【要約】      （修正有）【課題】洪水や津波等の発生により、ドア全体に高い水圧が作用した場合でも、水が住宅の内側に流入することを有効に防止することができるドア用建具等を提供する。【解決手段】水密材５は、水密材嵌合用凹溝２４ｄ内に嵌入される脚部５２と、中空状に成形された第１の中空部Ｘ及び第２の中空部Ｙをそれぞれ備え、各枠体の内側に形成された開口がドア本体により閉塞され水密材５が圧縮された際には、第２の中空部Ｙの幅が広くなるように変形されるとともに第２の中空部Ｙを形成する側板部５７は、断面が略くの字状に変形される。【選択図】図５
2020148062.tif 000002
【特許請求の範囲】
【請求項１】
住宅に配置され内側に長方形状の開口を有する複数の枠体と、これらの枠体に蝶番を介して回動自在に接続され上記開口を閉塞するドア本体と、を備えたドア用建具であって、
上記各枠体の内側には、上記開口が上記ドア本体により閉塞された際に、該ドア本体の室外側の面の外周側に対向し、それぞれ室外側に正面を有する対向板部が形成され、
上記各対向板部の正面には、互いに連通した水密材嵌合用凹溝がそれぞれ形成され、
上記連通した水密材嵌合用凹溝には、可撓性材料により一体成形された水密材がそれぞれ装着され、又は上記連通した水密材嵌合用凹溝には、可撓性材料により一体成形された単一の水密材が装着されてなり、
これらの水密材又は上記単一の水密材は、上記水密材嵌合用凹溝内に嵌入される脚部と、この脚部に連続してなり上記水密材嵌合用凹溝の外側に露出してなるとともに中空状に成形された第１の中空部と、仕切り板部を介して、上記第１の中空部に連続してなり上記室外側に位置してなるとともに中空状に成形された第２の中空部と、を備え、
上記第２の中空部は、上記ドア本体により上記開口が閉塞された際に該ドア本体の背面又は背面側角部近傍により室外側の面が圧接される圧接板部と、基端は上記仕切り板部の室外側の面に連続し先端は上記圧接板部の室内側の面に連続してなる側板部と、を有し、
上記ドア本体により上記開口が閉塞され上記それぞれの水密材又は単一の水密材が圧縮された際には、上記第２の中空部の幅が広くなるように変形されるとともに、上記側板部は、断面が略くの字状に変形されることを特徴とするドア用建具。
【請求項２】
前記水密材を構成する圧接板部は、前記枠体の開口が前記ドア本体により閉塞される際、該ドア本体の背面側角部近傍が圧接される部位であるとともに、該圧接板部は、該枠体から離間するにつれて徐々に前記水密材嵌合用凹溝側に接近するように傾斜されてなり、この傾斜された圧接板部に上記ドア本体の背面側角部近傍が当接することにより前記第２の中空部が圧縮されて変形される際、該第２の中空部を構成する前記側板部は、断面が前記略くの字状に変形されることを特徴とする請求項１記載のドア用建具。
【請求項３】
前記それぞれの水密材の端部同士又は単一の水密材の両端は互いに接着又は溶着され、前記第１及び第２の中空部の内部は、何れも密閉されてなることを特徴とする請求項１又は２記載の何れかのドア用建具。
【請求項４】
前記それぞれの水密材嵌合用凹溝内には、シーリング材が充填されてなることを特徴とする請求項１，２又は３記載の何れかのドア用建具。
【請求項５】
前記各枠体には、前記ドア本体により上記開口が閉塞された際に該ドア本体の上面、下面、左側面又は右側面の何れかに対向する対向面を有し、前記対向板部は、この対向面に基端を有するものであって、
この対向板部に形成された前記水密材嵌合用凹溝全体は、該対向板部の室外側の面から室外側に突出した幅を有してなるとともに、この水密材嵌合用凹溝と上記対向面との間には、該水密材嵌合用凹溝の突出した幅に略等しい肉厚を有する板状の水密板が貼付され、
前記それぞれの水密材の端部同士又は単一の水密材は、裏面が前記脚部の先端に連続し室外側の面の一部は前記第１の中空部を形成してなる底板部を備えてなるとともに、
この底板部には上記対向面側に延長された延長板部を有し、
この延長板部の室内側の面は上記水密板の室外側の面に貼付されてなることを特徴とする請求項１，２又は３記載の何れかのドア用建具。
【請求項６】
前記請求項１，２，３，４又は５記載の何れかのドア用建具を備えてなることを特徴とする住宅。
【発明の詳細な説明】
【技術分野】
【０００１】
本発明は、例えば、住宅の玄関等に開閉自在に配置されるドア用建具及びこのドア用建具を備えた住宅に関し、特に、枠体とドア本体との間における水密性が向上されたドア用建具及びこのドア用建具を備えた住宅に関するものである。
【背景技術】
【０００２】
近年、台風による大雨や集中豪雨等により洪水が発生し或いは津波の発生により、住宅に大きな被害が発生する場合が多いが、こうした洪水等の発生に伴って、住宅に設けられた玄関ドア等から室内に水が流入し、この結果、床上浸水等の事態を引き起こす場合が多い。
【０００３】
従来では、こうした洪水等の発生に伴うドアからの水の流入を防止するために、以下の説明する技術が提案されている。例えば、特開２０１２−９２５６３号公報（特許文献１）には、所定構造の気密材や、この気密材が取り付けられた枠体と開閉体とからなる建具が開示されている。上記気密材は、枠体又は開閉体に取り付けるための取付部と、この取付部に設けられた気密片と、ストッパーと、を備えたものであり、上記気密片は略くの字形状に屈曲されてなり、その先片が開閉体又は枠体に接したときには気密姿勢となり、この気密姿勢よりも更に弾性変形するとストッパーに当接してそれ以上の弾性変形を規制し、戸当りとしての十分な機能を有するようにしたものである。
【先行技術文献】
【特許文献】
【０００４】
【特許文献１】特開２０１２−９２５６３号公報
【発明の概要】
【発明が解決しようとする課題】
【０００５】
しかしながら、上記特許文献１に開示されたものは、上記略くの字形状に成形された気密片は、洪水等により室外側から受ける水圧が高くなればなる程、その水圧により室内側に押され、この結果、最終的には室内側に開いてしまい、上記ストッパーの先端と上記枠体又は開閉体との間の空間を経て、室内側に漏水する危険性が高い。
【０００６】
そこで、本発明は、集中豪雨等による洪水等が発生し、ドア全体に高い水圧が作用した場合であっても、漏水を招くことがなく、より水密性の高いドア用建具及びこのドア用建具を備えた住宅を提供することを目的とするものである。
【課題を解決するための手段】
【０００７】
本発明は、上記課題を解決するために提案されたものであって、第１の発明（請求項１記載の発明）は、ドア用建具に係るものであって、住宅に配置され内側に長方形状の開口を有する複数の枠体と、これらの枠体に蝶番を介して回動自在に接続され上記開口を閉塞するドア本体と、を備えたドア用建具であって、上記各枠体の内側には、上記開口が上記ドア本体により閉塞された際に、該ドア本体の室外側の面の外周側に対向し、それぞれ室外側に正面を有する対向板部が形成され、上記各対向板部の正面には、互いに連通した水密材嵌合用凹溝がそれぞれ形成され、上記連通した水密材嵌合用凹溝には、可撓性材料により一体成形された水密材がそれぞれ装着され、又は上記連通した水密材嵌合用凹溝には、可撓性材料により一体成形された単一の水密材が装着されてなり、これらの水密材又は上記単一の水密材は、上記水密材嵌合用凹溝内に嵌入される脚部と、この脚部に連続してなり上記水密材嵌合用凹溝の外側に露出してなるとともに中空状に成形された第１の中空部と、仕切り板部を介して、上記第１の中空部に連続してなり上記室外側に位置してなるとともに中空状に成形された第２の中空部と、を備え、上記第２の中空部は、上記ドア本体により上記開口が閉塞された際に該ドア本体の背面又は背面側角部近傍により室外側の面が圧接される圧接板部と、基端は上記仕切り板部の室外側の面に連続し先端は上記圧接板部の室内側の面に連続してなる側板部と、を有し、上記ドア本体により上記開口が閉塞され上記それぞれの水密材又は単一の水密材が圧縮された際には、上記第２の中空部の幅が広くなるように変形されるとともに、上記側板部は、断面が略くの字状に変形されることを特徴とするものである。
【０００８】
上記第１の発明に係るドア用建具を構成するそれぞれの水密材又は単一の水密材は、上述したように、上記ドア本体により上記開口が閉塞され、上記水密材が圧縮された際には、上記第２の中空部は、その幅が広くなるように変形され、上記側板部は、断面が略くの字状に変形される。そして、このように、断面がくの字状に変形された側板部を備えた第２の中空部の圧接板部は、上記ドア本体の背面又は背面側角部近傍に圧接した状態となる。したがって、このように構成された水密材を備えたドア用建具では、集中豪雨等による洪水等が発生し、ドア全体に高い水圧が作用した場合であっても、上記くの字状に変形された側板部は、その圧縮されたくの字状の状態が変形されることなく維持され、上記圧接板部とドア本体との間から室内側に水が流入又は漏水する危険性を有効に防止することができる。
【０００９】
なお、この発明では、上述したように、上記各枠体に形成された水密材嵌合用凹溝のそれぞれに１つの水密材が装着されたものであっても良いし、互いに連通する該水密材嵌合用凹溝の全体に単一の水密材が装着されたものであっても良い。
【００１０】
また、第２の発明（請求項２記載の発明）は、上記第１の発明において、前記水密材を構成する圧接板部は、前記枠体の開口が前記ドア本体により閉塞される際、該ドア本体の背面側角部近傍が圧接される部位であるとともに、該圧接板部は、該枠体から離間するにつれて徐々に前記水密材嵌合用凹溝側に接近するように傾斜されてなり、この傾斜された圧接板部に上記ドア本体の背面側角部近傍が当接することにより前記第２の中空部が圧縮されて変形される際、該第２の中空部を構成する前記側板部は、断面が前記略くの字状に変形されることを特徴とするものである。
【００１１】
この第２の発明に係るドア用建具では、上記ドア本体の背面側角部近傍が、上記水密材を構成する圧接板部に当接すると、該圧接板部は上述したように傾斜してなることから、上記第２の中空部が変形を開始すると、該第２の中空部を構成する側板部も徐々に変形されるところ、こうした側板部の変形動作は、第２の中空部の幅が狭くなるのではなく、第１の発明として記載したように、広くなるように変形され、特に、上記側板部は断面が略くの字状に自然に変形される。すなわち、この第２の発明を構成する水密材は、上述した構成を有してなることから、ドア本体による上記開口の開閉操作が繰り返されても、上記側板部が（第２の中空部の幅が狭くなるように）逆に変形する（折れ曲がる）ことなく、当初の設計通り、正確に断面がくの字状に変形することとなり、安定した水密性を確保することができる。
【００１２】
また、第３の発明（請求項３記載の発明）は、上記第１又は第２の発明の何れかにおいて、前記それぞれの水密材の端部同士又は単一の水密材の両端は互いに接着又は溶着され、前記第１及び第２の中空部の内部は、何れも密閉されてなることを特徴とするものである。
【００１３】
この第３の発明に係るドア用建具では、それぞれの水密材の端部同士又は単一の水密材の両端は互いに接着又は溶着され、前記第１及び第２の中空部の内部は、何れも密閉されていることから、上述したように、上記ドア本体により開口が閉塞され、上記水密材が圧縮された際には、該第１及び第２の中空部はそれぞれ高い弾性力を有することとなり、この結果、上記第２の中空部を構成する当接板部は、上記ドア本体に対して高い圧力により密着した状態（ドア本体の背面又は角部近傍を押圧した状態）となる。したがって、この第３の発明に係るドア用建具によれば、ドア全体に高い水圧が作用した場合であっても、上記第２中空部を構成する圧接板部とドア本体の背面との間から室内側に漏水する危険性をより一層防止することができる。
【００１４】
また、第４の発明（請求項４記載の発明）は、上記第１、第２又は第３の発明の何れかにおいて、前記それぞれの水密材嵌合用凹溝内には、シーリング材が充填されてなることを特徴とするものである。
【００１５】
この第４の発明に係るドア用建具では、前記水密材嵌合用凹溝内には、シーリング材が充填されてなることから、集中豪雨等による洪水等が発生し、ドア全体に高い水圧が作用した場合、水が上記水密材嵌合用凹溝を通過して（上記水密材の脚部の下から水が回り込んで）室内に漏出することがなく、更に水密性を図ることができる。
【００１６】
また、第５の発明（請求項５記載の発明）は、上記第１、第２又は第３の発明の何れかにおいて、前記各枠体には、前記ドア本体により上記開口が閉塞された際に該ドア本体の上面、下面、左側面又は右側面の何れかに対向する対向面を有し、前記対向板部は、この対向面に基端を有するものであって、この対向板部に形成された前記水密材嵌合用凹溝全体は、該対向板部の室外側の面から室外側に突出した幅を有してなるとともに、この水密材嵌合用凹溝と上記対向面との間には、該水密材嵌合用凹溝の突出した幅に略等しい肉厚を有する板状の水密板が貼付され、前記それぞれの水密材の端部同士又は単一の水密材は、裏面が前記脚部の先端に連続し室外側の面の一部は前記第１の中空部を形成してなる底板部を備えてなるとともに、この底板部には上記対向面側に延長された延長板部を有し、この延長板部の室内側の面は上記水密板の室外側の面に貼付されてなることを特徴とするものである。
【００１７】
この第５の発明に係るドア用建具では、水密材嵌合用凹溝と上記対向面との間には、上記板状の水密板が貼付されてなる一方、上記水密材には延長板部を有し、この延長板部の室内側の面は上記水密板の室外側の面に貼付されている。すなわち、上記ドア本体により上記各枠体により形成された開口が完全に閉塞された際、室外側からの水が高い水圧により侵入した場合であっても、この水は、上記水密材を構成する延長板部と上記水密板とにより、該水密材の脚部が嵌合された水密材嵌合用凹溝内に侵入することがない。換言すれば、上記第３の発明を構成するシーリング材が水密材嵌合用凹溝内に充填されていなくても、水が上記水密材嵌合用凹溝を通過して（上記水密材の脚部の下から水が回り込んで）室内に漏出することがない。したがって、この第５の発明に係るドア用建具によれば、高い水圧がこのドア用建具に作用した場合であっても、その水圧により上記水密材嵌合用凹溝を通過して室内側に漏水する危険性がなく、極めて高い水密性を確保することができ、また、上記第３の発明とこの第５の発明とを互いに比較した場合においては、上記シーリング材を水密材嵌合用凹溝内に充填する作業も不要となり、該シーリング材を使用することがなくても高い水密性を有するドア用建具を提供することが可能となる。
【００１８】
また、第６の発明（請求項６記載の発明）は、住宅に係るものであって、上記第１、第２、第３、第４又は第５の発明の何れかのドア用建具を備えてなることを特徴とするものである。
【発明の効果】
【００１９】
上記第１の発明（請求項１記載の発明）に係るドア用建具や第６の発明（請求項６記載の発明）に係る住宅によれば、集中豪雨等による洪水等が発生し、ドア全体に高い水圧が作用した場合であっても、上記断面くの字状に変形された側板部は、その圧縮されたくの字状の状態が変形されることなく維持され、上記圧接板部とドア本体との間から室内側に水が流入又は漏水する危険性を有効に防止することができる。
【００２０】
特に、第２の発明（請求項２記載の発明）に係るドア用建具によれば、ドア本体による上記開口の開閉操作が繰り返されても、上記側板部が（第２の中空部の幅が狭くなるように）逆に変形する（折れ曲がる）ことなく、当初の設計通り、正確に断面がくの字状に変形することとなり、安定した水密性を確保することができる。
【００２１】
また、第３の発明（請求項３記載の発明）に係るドア用建具では、前記それぞれの水密材の端部同士又は単一の水密材の両端は互いに接着又は溶着され、前記第１及び第２の中空部の内部は、何れも密閉されていることから、上述したように、上記ドア本体により開口が閉塞され、上記水密材が圧縮された際には、該第１及び第２の中空部はそれぞれ高い弾性力を発揮することとなり、この結果、上記第２の中空部を構成する当接板部は、上記ドア本体に対して高い圧力により密着した状態となる。したがって、この第２の発明に係るドア用建具によれば、枠体とドア本体との間に高い水圧が作用した場合であっても、上記第２を構成する圧接板部とドア本体との間から室内側に漏水する危険性をより一層防止することができる。
【００２２】
また、第４の発明（請求項４記載の発明）に係るドア用建具によれば、シーリング材の充填により、水が上記水密材嵌合用凹溝を通過して（上記水密材の脚部の下から水が回り込んで）室内に漏出することがなく、更に水密性を図ることができる。
【００２３】
また、第５の発明（請求項５記載の発明）に係るドア用建具によれば、高い水圧がこのドア用建具に作用した場合であっても、その水圧により上記水密材嵌合用凹溝を通過して室内側に漏水する危険性がなく、極めて高い水密性を確保することができ、また、上記第３の発明とこの第５の発明とを互いに比較した場合においては、上記シーリング材を水密材嵌合用凹溝内に充填する作業も不要となり、該シーリング材を使用することがなくても高い水密性を有するドア用建具を提供することが可能となる。
【図面の簡単な説明】
【００２４】
【図１】ドア用建具を示す正面図である。
【図２】ドア用建具を示す背面図である。
【図３】図１のＡ−Ａ線断面図であり、一部省略し且つ拡大した断面図である。
【図４】図１のＢ−Ｂ線断面図であり、一部省略し且つ拡大した断面図である。
【図５】水密材を拡大して示す断面図である。
【図６】水の侵入状態を示す断面図である。
【図７】他の例に係る水密材と水密板とを構成要素とした変形例を示す断面図である。
【図８】図７に示す変形例に係る水の侵入状態を示す断面図である。
【発明を実施するための形態】
【００２５】
以下、本発明を実施するための最良の形態に係るドア用建具ついて、図面を参照しながら詳細に説明する。先ず、第１の実施の形態に係るドア用建具について、詳細に説明する。なお、この実施の形態に係るドア用建具は、本発明を住宅の玄関に配置される玄関ドアに適用したものである。
【００２６】
この第１の実施の形態に係るドア用建具１は、図１又は図２に示すように、上記玄関に配置される枠体２と、この枠体２には、複数の蝶番３を介して回動可能に連結されたドア本体４と、を備えたものである。
【００２７】
上記枠体２は、図示しない住宅に平行に固定された上枠２１と、この上枠２１の下方であって該上枠２１に平行に固定された下枠２２と、上端側の右側は上記上枠２１の左端に固定され下端側の右側は上記下枠２２の左端に固定され、垂直方向に長さを有する左枠２３と、上端側の左側は上記上枠２１の右端に固定され下端側の左側は上記下枠２２の右端に固定され、上記左枠２３に平行に固定された右枠２４とから構成されている。すなわち、このドア用建具１は、上記上枠２１、下枠２２、左枠２３及び右枠２４からなる上記枠体２を備えてなるとともに、該枠体２の内側には開口（符号は省略する。）が形成され、この開口は、上記複数の蝶番３を介して該枠体２に連結されたドア本体４により開閉されるように構成されている。上記上枠２１、下枠２２、左枠２３及び右枠２４は、それぞれアルミニウム又は硬質塩化ビニル系樹脂を素材としてなるものであって、図３又は図４に示すように、それぞれ中空状に成形されている。
【００２８】
そして、上記上枠２１は、図３中上側に示すように、略直方体状に成形されてなるものであり、下面は上記ドア本体４の上面に対向する対向面２１ａとされ、この対向面２１ａの室内側（図３中右側）には、該対向面２１ａから垂下してなる対向板部２１ｂが形成されている。この対向板部２１ｂは、上記ドア本体４の上端側背面に対向してなる部位である。そして、この対向板部２１ｂの正面であって上記対向面２１ａよりもやや下方には、本発明を構成する水密材嵌合用凹溝２１ｃが形成されている。この水密材嵌合用凹溝２１ｃは、上記対向板部２１ｂの正面（室外側に位置する面）から室外側に起立した一方の起立板部２１ｄと、該対向板部２１ｂの正面から室外側に起立し上記一方の起立板部２１ｄと対称形状に成形された他方の起立板部２１ｅと、上記一方の起立板部２１ｄの先端から上記上枠２１から離間する方向に形成された一方の折曲板部２１ｆと、上記他方の起立板部２１ｅの先端から上記一方の折曲板部２１ｆの先端に接近する方向に形成された他方の折曲板部２１ｇと、を有し、上記一方の起立板部２１ｄと他方の起立板部２１ｅとの間の間隔よりも上記一方の折曲板部２１ｆの先端と他方の折曲板部２１ｇの先端との間隔が狭いものとされている。なお、上記水密材嵌合用凹溝２１ｃ内には、液状のシーリング材６が充填されている。
【００２９】
また、上記下枠２２は、図３下側に示すように、略直方体状に成形されてなるものであり、上面は上記ドア本体４の下面に対向する対向面２２ａが形成され、この対向面２２ａの室内側（図３中右側）には、該対向面２２ａから上方に起立してなる対向板部２２ｂが形成されている。この対向板部２２ｂは、上記ドア本体４の下端側背面に対向してなる部位である。そして、この対向板部２２ｂの正面であって上記対向面２２ａよりもやや上方には、本発明を構成する水密材嵌合用凹溝２２ｃが形成されている。この水密材嵌合用凹溝２２ｃは、上記対向板部２２ｂの正面（室外側に位置する面）から室外側に起立した一方の起立板部２２ｄと、該対向板部２２ｂの正面から室外側に起立し上記一方の起立板部２２ｄと対称形状に成形された他方の起立板部２２ｅと、上記一方の起立板部２２ｄの先端から上記下枠２２から離間する方向に形成された一方の折曲板部２２ｆと、上記他方の起立板部２２ｅの先端から上記一方の折曲板部２２ｆの先端に接近する方向に形成された他方の折曲板部２２ｇと、を有し、上記一方の起立板部２２ｄと他方の起立板部２２ｅとの間の間隔よりも上記一方の折曲板部２２ｆの先端と他方の折曲板部２２ｇの先端との間隔が狭いものとされている。なお、上記水密材嵌合用凹溝２２ｃ内には、液状のシーリング材６が充填されている。
【００３０】
また、上記左枠２３は、図４中右側に示すように、略直方体状に成形されてなるものであり、右側面は上記ドア本体４の左側面に対向する対向面２３ａが形成され、この対向面２３ａの室内側（図４中下側）には、該対向面２３ａから右側に起立してなる対向板部２３ｂが形成されている。この対向板部２３ｂは、上記ドア本体４の左端側背面に対向してなる部位である。そして、この対向板部２３ｂの正面であって上記対向面２３ａよりもやや右側には、本発明を構成する水密材嵌合用凹溝２３ｃが形成されている。この水密材嵌合用凹溝２３ｃは、上記対向板部２３ｂの正面（室外側に位置する面）の右側から正面側に起立した一方の起立板部２３ｄと、該対向板部２３ｂの正面から室外側に起立し上記一方の起立板部２３ｄと対称形状に成形された他方の起立板部２３ｅと、上記一方の起立板部２３ｄの先端から上記左枠２３から離間する方向に形成された一方の折曲板部２３ｆと、上記他方の起立板部２３ｅの先端から上記一方の折曲板部２３ｆの先端に接近する方向に形成された他方の折曲板部２３ｇと、を有し、上記一方の起立板部２３ｄと他方の起立板部２３ｅとの間の間隔よりも上記一方の折曲板部２３ｆの先端と他方の折曲板部２３ｇの先端との間隔が狭いものとされている。なお、上記水密材嵌合用凹溝２３ｃ内には、液状のシーリング材６が充填されている。
【００３１】
また、上記右枠２４は、図４中左側に示すように、略直方体状に成形されてなるものであり、左側面は上記ドア本体４の右側面に対向する対向面２４ａが形成され、この対向面２４ａの室内側（図４中下側）には、該対向面２４ａから左側に起立してなる対向板部２４ｂが形成されている。この対向板部２４ｂは、上記ドア本体４の右端側背面に対向してなる部位である。そして、この対向板部２４ｂの正面であって上記対向面２４ａよりもやや左側には、本発明を構成する水密材嵌合用凹溝２４ｃが形成されている。この水密材嵌合用凹溝２４ｃは、上記対向板部２４ｂの正面（室外側に位置する面）の左側から正面側に起立した一方の起立板部２４ｄと、該対向板部２４ｂの正面から室外側に起立し上記一方の起立板部２４ｄと対称形状に成形された他方の起立板部２４ｅと、上記一方の起立板部２４ｄの先端から上記右枠２４から離間する方向に形成された一方の折曲板部２４ｆと、上記他方の起立板部２４ｅの先端から上記一方の折曲板部２４ｆの先端に接近する方向に形成された他方の折曲板部２４ｇと、を有し、上記一方の起立板部２４ｄと他方の起立板部２４ｅとの間の間隔よりも上記一方の折曲板部２４ｆの先端と他方の折曲板部２４ｇの先端との間隔が狭いものとされている。なお、上記水密材嵌合用凹溝２４ｃ内には、液状のシーリング材６が充填されている。なお、上記上枠２１に形成された水密材嵌合用凹溝２１ｃ内、上記下枠２２に形成された水密材嵌合用凹溝２２ｃ内、上記左枠２３に形成された水密材嵌合用凹溝２３ｃ内及び上記右枠２４に形成された水密材嵌合用凹溝２４ｃは、それぞれ連通している。
【００３２】
そして、上記連通した上記水密材嵌合用凹溝２１ｃ，２２ｃ，２３ｃ，２４ｃ内には、図３又は図４に示すように、単一の水密材５が装着されている。すなわち、上記水密材嵌合用凹溝２１ｃ，２２ｃ，２３ｃ，２４ｃ内には、単一の水密材５の一部が装着されている。そして、この水密材５は、ゴム又は可撓性を有する合成樹脂により一体成形されてなるものであり、その両端は互い溶着されている。そして、この水密材５は、図５において上記右枠２４に形成された部位を拡大して示すように、上記水密材嵌合用凹溝２４ｃの幅よりもやや長尺な幅寸法に成形された底板部５１と、この底板部５１の下面に形成された脚部５２と、上記底板部５１の一側から室外方向に起立してなる一方の側板部５３と、上記底板部５１の他側から起立してなる他方の側板部５４と、上記一方の側板部５３の中途部から傾斜し先端は上記他方の側板部５４の中途部に連続してなる仕切り板部５５と、上記他方の側板部５４の中途部（上記仕切り板部５５の先端位置よりもやや室外側の部位）から徐々に上記対向面２４ａに接近するように傾斜してなる圧接板部５６と、基端は上記傾斜した仕切り板部５５の外側面に連続し先端は、上記圧接板部５６の先端側中途部の裏面に連続してなる上側板部５７と、から構成されている。そして、上記脚部５２は、上記底板部５１の中央に基端を有し、上記一方の折曲板部２４ｆの先端と他方の折曲板部２４ｇの先端との間に挿入される挿入板部５２ａと、この挿入板部５２ａの先端に形成され上記水密材嵌合用凹溝２４ｃ内に圧入されるとともに上記対向板部２４ｂの幅方向に幅を有する圧入板部５２ｂと、から構成されている。
【００３３】
なお、上記水密材５を構成する上記底板部５１と、上記一方の側板部５３と、上記他方の側板部５４と、上記仕切り板部５５とによって囲まれた部位は、本発明を構成する第１の中空部Ｘであり、上記仕切り板部５５と、上記圧接板部５６と、上記上側板部５７とによって囲まれた部位は、本発明を構成する第２の中空部Ｙである。そして、これら第１及び第２の中空部Ｘ，Ｙの内部は、上述したように、上記水密材５の両端は互いに溶着されていることから、それぞれ密閉空間とされている。また、上記圧接板部５６は、後述するように、ドア本体４により上記枠体２の開口が閉塞される際においては、該ドア本体４の背面の外周側又は角部近傍が最初に接触・当接する部位であり、上記上側板部５７は、枠体２の開口が閉塞されて行く過程において、略くの字状に折曲される部位である。なお、上記上側板部５７は、本発明を構成する側板部である。
【００３４】
また、上記ドア本体４は、図１又は図２に示すように、上下方向に長さを有するとともに上記枠体２に形成された開口を閉塞するものであって、その正面の左側中途部には、第１の把手（ドアノブ）７（図１参照）が固定され、またその背面には、第２の把手（ドアノブ）８が固定され、これら第１及び第２の把手７，８の上側には第１の錠９が、また下側には第２の錠１０がそれぞれ固定されている。また、上記各蝶番３は、図４に示すように、上記右枠２４の対向面２４ａに複数の皿ネジ１２により固定された方形状の枠側羽根板３１と、この枠側羽根板３１の基端に固定された下側円筒部３２（図１参照）と、この下側円筒部３２の内部に下側が挿入固定され該下側円筒部３２から上方に突出してなる固定軸３３と、上記ドア本体４の右側面に複数の皿ネジ１２により固定された方形状のドア側羽根板３４（図４参照）と、このドア側羽根板３４の基端に固定され上記固定軸３３が下側から内部に挿通され下端は上記下側円筒部３２の上面に支持された上側円筒管部３５と、から構成されている。したがって、上記ドア本体４は、上記第１又は第２の把手７，８を把持し、上記固定軸３３を中心に回動操作することができ、上記枠体２の内側に形成された開口は、上記ドア本体４により閉塞される。
【００３５】
そして、この第１の実施の形態に係るドア用建具１によれば、上記開口が開放されている状態から上記ドア本体４を回動操作し、上記開口を閉塞する際においては、先ず、このドア本体４の背面側の周囲であって上記各蝶番３に近い部位から、徐々に上記水密材５を構成する圧接板部５６に接触・当接するとともに、さらにドア本体４を回動操作することにより、上記圧接板部５６を含めて水密材５全体の圧縮が開始される。この際、上記ドア本体４は、先ず傾斜した上記圧接板部５６の基端側に当接し、その当接した部位から変形が開始され、その後に該圧接板部５６が徐々に上記仕切り板部５５に近づくように変形させられ、上記第２の中空部Ｙは徐々に圧縮される。こうした第２の中空部Ｙの圧縮過程では、該第２の中空部Ｙの内部は密閉されているとともに、上記圧接板部５６は図５に示すように傾斜していることから、上記上側板部５７は、図５に示す状態から徐々にその中央部付近で略くの字状に折曲され、上記第２の中空部Ｙは、その断面形状が略菱形状に変形されながら圧縮される。そして、さらに上記水密材５が圧縮されると、上記第２の中空部Ｙ及び第１の中空部Ｘの双方が圧縮され、やがて上記ドア本体４により、上記開口が完全に閉塞されると、図３又は図４に示すように、該ドア本体４の背面の一部と上記枠体２に形成された全ての対向板部２１ｂ，２２ｂ，２３ｂ，２４ｂとの間に上記水密材５が圧縮された状態で位置し、且つ、この圧縮された水密材５は、上記第１及び第２の中空部Ｘ，Ｙの各弾性力により、上記圧接板部５６の正面がドア本体４の裏面を押圧した状態とされる。
【００３６】
したがって、図３又は図４に示す状態（ドア本体４により枠体２の開口が完全に閉塞された状態）において、洪水や津波等の発生により、住宅の外側における水位が上昇して、玄関の高さを超えた場合においては、上記枠体２を構成する下枠２２に配置された上記水密材５や、上記左枠２３及び右枠２４に配置された上記水密材５により、該下枠２２や左枠２３及び右枠２４とドア本体４との間の僅かな隙間から住宅内に水が流入することはない。図６は、室外側の水Ｗの水位が、上記下枠２２よりも上方に至った際における水Ｗの侵入状態を示すものである。この図６からも明らかなように、上記下枠２２の対向面２２ａとドア本体４の下面との間に水は侵入するものの、その水Ｗは上記水密材５により完全に止水される。そして、こうした図６に示す状態からさらに水位が上昇し或いは濁流等により、大きな水圧がこのドア用建具１に作用した場合であっても、上記水密材５を構成する上側板部５７がその水圧により変形することはなく、依然として僅かな隙間から住宅内に水が流入することなくその水密性を維持することができる。さらに、この実施の形態に係るドア用建具１やこのドア用建具１を備えた住宅によれば、上記水密材５が圧入された水密材嵌合用凹溝２１ｃ，２２ｃ，２３ｃ，２４ｃ内にはそれぞれシーリング材６が充填されていることから、上記ドア本体４が長期間に亘って繰り返し開閉操作されたり、上記水密材５が劣化したりする場合であっても、上記水圧によって、該水密材嵌合用凹溝２１ｃ，２２ｃ，２３ｃ，２４ｃ内を水が通過する危険性も有効に解消することができる。
【００３７】
なお、上記実施の形態に係るドア用建具１においては、水密材嵌合用凹溝２１ｃ，２２ｃ，２３ｃ，２４ｃ内にはそれぞれシーリング材６が充填されたものを説明したが、例えば、図７に示す構成とし、上記シーリング材６を構成要素としないものであっても良い。
【００３８】
このドア用建具（符号は省略する。）を、例えば上記下枠２２を拡大して示す図７を参照しながら説明する。このドア用建具は、上記水密材５を構成する底板部５１の幅を、上記対向板部２２ｂの幅方向に沿って上記対向面２２ａに先端が当接するまで延長する（以下、この延長された部位を延長板部５１ａと言う。）とともに、この延長板部５１ａの室内側の面と対向板部２２ｂとの間には、上記水密材嵌合用凹溝２２ｃの高さに略等しい水密板７１が配置されたものである。上記水密板７１は、発砲樹脂からなり可撓性及び弾性を有してなる板体であり、一方の面には上記起立板部２２ｂの正面に接着される接着剤が塗布され、他方の面には上記延長板部５１ａの室内側の面に接着される接着剤が塗布されてなるものである。言うまでもなく、上記構成は上記下枠２２以外に、上記枠体２を構成する上枠２１、左枠２３及び右枠２４にも同じ構成とされている。
【００３９】
したがって、上述した構成に係るドア用建具によれば、図８に示すように、上記下枠２２の対向面２２ａとドア本体４の下面との間に水は侵入するものの、その水Ｗは上記水密材５により完全に止水される。特に、上記高い水圧が生じた場合であっても、上記延長板部５１ａと上記水密板７１とにより、上記水密材嵌合用凹溝２２ｄ内に水Ｗが流入する危険性は無い。したがって、こうした構成に係るドア用建具によれば、上述したシーリング材６が水密材嵌合用凹溝（符号は省略する。）内に充填されていなくても、水Ｗが該水密材嵌合用凹溝を通過して（上記水密材５の脚部５２の下から水が回り込んで）室内側に漏出することがなく、上記シーリング材６を水密材嵌合用凹溝内に充填する作業も不要となる。
【００４０】
なお、上記実施の形態に係るドア用建具１は、上記水密材嵌合用凹溝２１ｃ，２２ｃ，２３ｃ，２４ｃ内に単一の水密材５が装着されているものを説明したが、本発明は、上記水密材嵌合用凹溝２１ｃ，２２ｃ，２３ｃ，２４ｃのそれぞれに１つの水密材（符号は省略する。）が装着され、これらの各水密材は、互いに端部において互いに接着され、上記第１の中空部Ｘ及び第２の中空部Ｙが密閉空間とされたものであっても良い。また、上記実施の形態に係るドア用建具１は、玄関のドアに本発明を適用したものであるが、本発明は玄関に限定されるものではなく、住宅の勝手口その他のドア用建材に適用されたものであっても良い。
【符号の説明】
【００４１】
１  ドア用建具
２  枠体
３  蝶番
４  ドア本体
５  水密材
６  シーリング材
２１  上枠
２１ａ  対向面
２１ｂ  対向板部
２１ｃ  水密材嵌合用凹溝
２２  下枠
２２ａ  対向面
２２ｂ  対向板部
２２ｃ  水密材嵌合用凹溝
２３  左枠
２３ａ  対向面
２３ｂ  対向板部
２３ｃ  水密材嵌合用凹溝
２４  右枠
２４ａ  対向面
２４ｂ  対向板部
２４ｃ  水密材嵌合用凹溝
５１  底板部
５１ａ  延長板部
５２  脚部
５５  仕切り板部
５６  圧接板部
５７  上側板部（側板部）
７１  水密板
Ｗ  水
Ｘ  第１の中空部
Ｙ  第２の中空部
【図１】
2020148062.tif 000003
【図２】
2020148062.tif 000004
【図３】
2020148062.tif 000005
【図４】
2020148062.tif 000006
【図５】
2020148062.tif 000007
【図６】
2020148062.tif 000008
【図７】
2020148062.tif 000009
【図８】
2020148062.tif 000010